(57)【要約】【課題】穴開けにかかる作業負担を少なくでき作業コストを低減できるドリルビット用のアダプターを提供することを課題とする。【解決手段】ドリルビット用のアダプター２０は、電動ドリル１３のドリルチャック１４に取り付ける連結外軸８、ドリルビット１２や螺旋ブラシビット１１を取り付けるための複数のドリルチャック５ａ、５ｂ、これら複数のドリルチャック５ａ、５ｂを回転および反転可能に保持したチャックベース１、および、複数のドリルチャック５ａ、５ｂに対応してチャックベース１に取り付けられた複数の連結内軸７ａ、７ｂを有する。【選択図】      図１
2012056190.tif 000002
【特許請求の範囲】
【請求項１】
複数のドリルビットをドリル本体に対して交換可能に装着するためのアダプターであって、
上記ドリル本体の駆動軸に取り付けられる第１連結軸と、
上記複数のドリルビットをそれぞれ取り付ける複数のドリルチャックと、
回転の途中で上記各ドリルビットを上記第１連結軸に対してそれぞれ同軸に配置可能で、且つ各ドリルビットを逆向きに反転可能な状態で、上記複数のドリルチャックを保持したチャックベースと、
上記チャックベースを回転可能に支持して上記ドリル本体に取り付けた支持回転軸と、
上記チャックベースの回転により上記第１連結軸に同軸に配置されたドリルビットを該第１連結軸に連結するため、上記複数のドリルチャックに対応して上記チャックベースに取り付けられた複数の第２連結軸と、
を有するアダプター。
【請求項２】
上記第１および第２連結軸は、互いに軸方向にスライドして歯合するスプラインカップリング構造を有する請求項１のアダプター。
【請求項３】
上記支持回転軸は、上記第１および第２連結軸の連結および解除を可能にするため、上記チャックベースを軸方向にスライド可能に支持している請求項２のアダプター。
【請求項４】
上記支持回転軸は、上記ドリル本体の駆動軸との間の距離を変更可能にするため、フレキシブルアーム構造を有する請求項３のアダプター。
【請求項５】
請求項１のアダプターの上記ドリルチャックの１つに上記ドリルビットの代りに取り付けられる、螺旋状の毛を有する螺旋ブラシビット。
【発明の詳細な説明】
【技術分野】
【０００１】
本発明の実施形態は、例えば、複数種類のドリルビットをドリルチャックに交換可能に装着するためのアダプター、および螺旋ブラシビットに関する。
【背景技術】
【０００２】
例えば、建物の天井に接着系アンカーを打ち込む場合、インパクトドリルを用いてコンクリート躯体の表面にアンカー打ち込み用の穴を開ける。このとき、一般に、穴開け工程、吸引またはブロワー工程、ブラッシング工程、および、再び吸引またはブロワー工程を実施する。
【０００３】
まず、穴開け工程で、ドリルビットを装着したインパクトドリルを用いて天井の躯体壁に穴を開ける。その後、吸引またはブロワー工程で、集塵機やスポイトを用いて穴の中に残った切り粉を除去し、ブラッシング工程で、ブラシを用いて穴壁の粉塵を除去する。そして、最後に、スポイトや集塵機を用いて穴の中を清掃する。
【０００４】
このように、アンカー打ち込み用の穴の中を清掃することにより、接着系アンカーの効きを良くすることができる。
【先行技術文献】
【特許文献】
【０００５】
【特許文献１】特開平９−２９５２８５号公報
【発明の概要】
【発明が解決しようとする課題】
【０００６】
しかし、上述したようにアンカー打ち込み用の穴を開ける場合、インパクトドリルの他に、集塵機、スポイト、ブラシなど多くの道具が必要となり、作業員が道具を持ち替える回数も多く、作業に手間がかかるとともに、道具の管理が面倒であり、作業コストが増大する原因となっていた。
【０００７】
また、上述したようにアンカー打ち込み用の穴を開ける場合、インパクトドリルを持った作業員が脚立を用いて天井に穴を開け、脚立を降りてインパクトドリルを床に置いて、集塵機やスポイトで穴の中の切り粉を除去したりブラッシングしたりする必要があり、作業員による作業負担が大きかった。特に、穴の数が多くなると、脚立を昇ったり降りたりする回数が多くなり、重労働となっていた。
【０００８】
よって、穴開けにかかる作業負担を少なくでき作業コストを低減できる穴開け道具の開発が望まれている。
【課題を解決するための手段】
【０００９】
実施形態に係るドリルビット用のアダプターは、電動ドリルのドリルチャックに取り付ける連結外軸、ドリルビットや螺旋ブラシビットを取り付けるための複数のドリルチャック、これら複数のドリルチャックを回転および反転可能に保持したチャックベース、および、複数のドリルチャックに対応してチャックベースに取り付けられた複数の連結内軸を有する。
【図面の簡単な説明】
【００１０】
【図１】図１は、実施形態に係るドリルビット用のアダプターを備えた電動ドリルを示す概略図である。
【図２】図２は、図１のアダプターに取り付けた螺旋ブラシビットを１８０°反転させた状態を示す概略図である。
【図３】図３は、図２の螺旋ブラシビットを１８０°反転させる動作を説明するための動作説明図である。
【図４】図４は、図１のアダプターに取り付けたドリルビットを電動ドリルの駆動軸から取り外した状態を示す概略図である。
【図５】図５は、図４の状態からチャックベースを１８０°回転させた状態を示す概略図である。
【図６】図６は、図５のチャックベースを回転させる動作を説明するための動作説明図である。
【図７】図７は、図１のアダプターに取り付けた螺旋ブラシビットの機能について説明するための図である。
【発明を実施するための形態】
【００１１】
以下、図面を参照しながら実施形態について詳細に説明する。  
図１には、複数種類のドリルビット１２（或いは螺旋ブラシビット１１）を汎用ドリルに対して交換可能且つ同時に装着するためのアダプター２０、およびこのアダプター２０を装着した電動ドリル１３の概略図を示してある。
【００１２】
本実施形態では、アダプター２０の一方のドリルチャック５ａにドリルビット１２を取り付け、もう一方のドリルチャック５ｂに螺旋ブラシビット１１を取り付けた例について説明するが、これに限らず、例えば、２種類のドリルビット１２を各ドリルチャック５ａ、５ｂに取り付けても良い。また、本実施形態では２つのドリルビット１２（或いは螺旋ブラシビット１１）を取り付け可能なアダプター２０を例示したが、３つ以上のビットを取り付け可能なアダプターであっても良い。
【００１３】
本実施形態のアダプター２０は、電動ドリル１３のドリルチャック１４に脱着可能に取り付けられて固定された連結外軸８を有する。この連結外軸８の内周面には、軸方向に延びたメススプラインカップリング９が設けられている。連結外軸８は、電動ドリル１３の駆動力をアダプター２０に伝達するためのものである。
【００１４】
また、アダプター２０は、２つのドリルチャック５ａ、５ｂを回転および反転可能に取り付けたチャックベース１（図６参照）を有する。  
つまり、このチャックベース１は、電動ドリル１３に対して２本の固定ベルト１０で固定された細長い支持回転軸２に対して、図６に矢印で示す方向に回転可能に取り付けられているとともに、図４に矢印で示す軸方向にスライド可能に取り付けられている。このため、チャックベース１に取り付けられた２つのドリルチャック５ａ、５ｂは、例えば、図４に示す状態と図５に示す状態との間で１８０°回転可能となっている。
【００１５】
また、このチャックベース１は、２つのドリルチャック５ａ、５ｂをそれぞれ図３に示すように１８０°反転可能な構造を有する。図３には、螺旋ブラシビット１１を装着したドリルチャック５ｂを１８０°反転させる動作を説明するための動作説明図を示してあるが、ドリルビット１２を装着したドリルチャック５ａも同様に１８０°反転可能となっている。このため、一方のドリルチャック５ａに装着されたドリルビット１２は、図５に示す状態から１８０°反転させることができ、もう一方のドリルチャック５ｂに装着された螺旋ブラシビット１１も、図１に示す状態から図２に示す状態へ１８０°反転させることができる。
【００１６】
さらに、チャックベース１は、各ドリルチャック５ａ、５ｂに対応して連結内軸７ａ、７ｂを備えている。各連結内軸７ａ、７ｂは、それぞれ、対応するドリルチャック５ａ、５ｂと同軸に設けられている。これら連結内軸７ａ、７ｂは、それぞれ、対応するドリルチャック５ａを電動ドリル１３に接続する場合、上述した連結外軸８の内側に選択的に挿通配置される。つまり、これら連結内軸７ａ、７ｂの外周面には、連結外軸８の内周面に設けられたメススプラインカップリング９に歯合するオススプラインカップリング（図示せず）が設けられている。
【００１７】
例えば、図１に示すように連結外軸８の内側に、一方のドリルチャック５ａに対応して設けられた連結内軸７ａを挿通配置すると、電動ドリル１３の回転軸とドリルチャック５ａに装着されたドリルビット１２が同軸に連結される。そして、この状態で、オス／メスのスプラインカップリングの作用によって、電動ドリル１３の回転がドリルビット１２に伝達可能となる。
【００１８】
なお、上記構造のアダプター２０を複数種類のサイズの異なる電動ドリル１３に対して汎用で取り付け可能とするため、支持回転軸２の大部分は、自由に折り曲げ可能なフレキシブルアーム４とされている。つまり、電動ドリル１３の駆動軸と外周面との間の距離１５（図４参照）は、電動ドリル１３のサイズによって異なるため、フレキシブルアーム４を採用して、このサイズの違いを吸収できるようにした。
【００１９】
以下、上述したアダプター２０を用いてドリルビット１２と螺旋ブラシビット１１を取り付けた電動ドリル１３を用いて、コンクリート躯体に接着系アンカー用の穴を開ける動作について説明する。
【００２０】
まず、穴開けの準備として、図１に示すように、一方のドリルチャック５ａにドリルビット１２を取り付けて、もう一方のドリルチャック５ｂに螺旋ブラシビット１１を取り付ける。このとき、一方のドリルチャック５ａは、電動ドリル１３の駆動軸に連結されている。ビットの取り付けはチャックベース１の２つのドリルチャック５ａ、５ｂを図１の姿勢に配置した状態で実施する。なお、これらアダプター２０のドリルチャック５ａ、５ｂは、電動ドリル１３のドリルチャック１４と同様に機能する。
【００２１】
そして、初めに、穴開けに使用しない螺旋ブラシビット１１を取り付けたドリルチャック５ｂを図２に示す姿勢に１８０°反転させる。このとき、図３に示すように螺旋ブラシビット１１をチャックベース１に対して１８０°回転させる。より具体的には、螺旋ブラシビット１１が周辺部材にぶつかることのない方向、すなわち図２中上下に延びた回転軸を中心に螺旋ブラシビット１１を装着したドリルチャック５ｂを１８０°回転する。
【００２２】
この状態で、電動ドリル１３を動作させて、ドリルビット１２を回転させ、コンクリート躯体に穴を開ける。このとき、螺旋ブラシビット１１を図２に示すように反転させたことで、螺旋ブラシビット１１が穴開けの邪魔になることがない。
【００２３】
穴開けの後、次に、螺旋ブラシビット１１を使用するため、図２に示す姿勢からドリルチャック５ｂを１８０°反転させて図１の姿勢に一旦戻す。そして、この後、チャックベース１を１８０°回転させるため、図４に示すように、チャックベース１を電動ドリル１３の駆動軸に沿って電動ドリル１３から離れる方向に移動させて、電動ドリル１３のドリルチャック１４に固定した連結外軸８からチャックベース１側の連結内軸７ａを引き抜く。この状態で、チャックベース１が支持回転軸２に対して自由に回転可能となる。
【００２４】
つまり、支持回転軸２には、連結外軸８から連結内軸７ａ（または７ｂ）を完全に引き抜くことのできる抜きしろ１６が与えられている。言い換えると、支持回転軸２には、この抜きしろ１６を僅かに超えてチャックベース１をスライド可能とするスライド範囲を規定するための２つのストッパー３ａ、３ｂが固設されている。
【００２５】
支持回転軸２の先端側のストッパー３ａは、図１の状態から図４の状態へチャックベース１を引き抜いたときに、チャックベース１が支持回転軸２から脱落することを防止するために設けられている。また、もう一方のストッパー３ｂは、チャックベース１の押し込み位置を規定する。
【００２６】
図４に示すようにチャックベース１を電動ドリル１３から離れる方向に引き抜いた後、
図６に示すようにチャックベース１を１８０°回転させて図５に示す状態に配置する。さらに、この後、チャックベース１を電動ドリル１３に向けて押し込んで、電動ドリル１３に固定した連結外軸８の内側に螺旋ブラシビット１１側の連結内軸７ｂを挿入配置し、螺旋ブラシビット１１を電動ドリル１３に連結する。
【００２７】
そして、今度は、ブラッシングに使用しないドリルビット１２を取り付けたドリルチャック５ａを１８０°反転させる。この状態で、電動ドリル１３を動作させて、躯体に開けた穴の中に螺旋ブラシビット１１を挿入し、穴の中に残った切り粉や粉塵を螺旋ブラシビット１１の回転によって除去する。
【００２８】
螺旋ブラシビット１１は、図７に示すように、毛が螺旋状に配置されている。このため、螺旋ブラシビット１１を穴に入れて電動ドリル１３を動作させると、穴の中にあるコンクリートの切り粉や粉塵が掻き出される。言い換えると、螺旋ブラシビット１１の毛は、螺旋ブラシビット１１を決められた方向に回転させたとき、穴から切り粉や粉塵を掻き出すことのできる方向に螺旋が設けられている。
【００２９】
本実施形態の螺旋ブラシビット１１は、穴開け後、穴の中にある切り粉を除去するブロワー工程、ブラッシング工程、および２回目のブロワー工程を、１度の工程によって担う。言い換えると、本実施形態の構成を採用すると、ブロワー工程のための集塵機やスポイトが不要となる。
【００３０】
以上のように、本実施形態によると、穴開けのためアダプター２０付きの電動ドリル１３だけを使用するため、従来のように道具を持ち替える必要がなく、作業性を向上させることができる。また、本実施形態によると、穴開けのための道具の管理も容易となる。
【００３１】
また、ドリルビット１２と螺旋ブラシビット１１を切り替える際、作業員は、チャックベース１を手で持って回転し、或いはドリルチャック５ａ、５ｂを手で持って反転するため、ドリルビット１２や螺旋ブラシビット１１に直接手で触れることがなく、火傷等の不具合を防止できる。
【００３２】
つまり、本実施形態によると、穴開け作業に係る作業性を向上させることができ、作業コストを低減することができる。
【００３３】
本発明の実施形態を説明したが、上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３４】
１…チャックベース、２…支持回転軸、３ａ、３ｂ…ストッパー、４…フレキシブルアーム、５ａ、５ｂ…ドリルチャック、７ａ、７ｂ…連結内軸、８…連結外軸、９…スプラインカップリング、１０…固定ベルト、１１…螺旋ブラシビット、１２…ドリルビット、１３…電動ドリル、１４…ドリルチャック、２０…アダプター。
【図１】
2012056190.tif 000003
【図２】
2012056190.tif 000004
【図３】
2012056190.tif 000005
【図４】
2012056190.tif 000006
【図５】
2012056190.tif 000007
【図６】
2012056190.tif 000008
【図７】
2012056190.tif 000009